(57)【特許請求の範囲】
【請求項１】
血液中の血糖値を測定するのに用いられ、所定量の血液が採取される採血管であって、
一端が開口し他端が閉塞してなる有底筒状の採血管本体と、
前記採血管本体の内壁に付着されている粒子状の薬剤とを備え、
前記薬剤が解糖阻止剤及び血液抗凝固剤を含む水溶性の薬剤であって、前記解糖阻止剤が、採取される血液１ｍＬ当たり、１〜５ｍｇのＤ−マンノース及びＮａＦ量換算で０.３〜１.０ｍｇのフッ化物塩を含み、前記血液抗凝固剤が、ＥＤＴＡ及び／またはへパリンの少なくとも１種であり、
前記薬剤が、前記採血管本体の内壁にスプレー塗布し乾燥させることにより粒子状で付着されており、
前記採血管に採取される血液の所定量と等量の水で前記採血管本体の内壁に付着されている薬剤を溶解した際の水溶液の浸透圧が３０〜８０ｍＯｓｍの範囲にある、採血管。
【請求項２】
前記所定量の血液を採取した際の血液試料のｐＨが７．３〜８．８の範囲にある、請求項１に記載の採血管。
【請求項３】
前記粒子状の薬剤の最大粒径が５０μｍ〜１５００μｍの範囲にある、請求項１または２に記載の採血管。
【請求項４】
前記薬剤が、前記所定量の血液を採取した場合の血液面よりも下方の位置において、前記採血管本体の内壁に付着している、請求項１〜３のいずれか１項に記載の採血管。
【発明の詳細な説明】
【技術分野】
【０００１】
本発明は、血糖値を測定するのに用いられる採血管に関し、より詳細には、解糖阻止剤を含む薬剤が収容されている採血管に関する。
【背景技術】
【０００２】
糖尿病などを診断するために、血液中のグルコース濃度すなわち血糖値が測定されている。しかし、採血した血液を室温保存すると、その血糖値が徐々に低下するという問題がある。そのため、解糖阻止剤を含む薬剤組成物が収容された採血管が広く用いられている。
【０００３】
上記解糖阻止剤としては、ＮａＦやＫＦなどのフッ化物塩が用いられている。しかしながら、上記フッ化物塩による解糖阻止効果が発現するまで２〜３時間を要する。そのため、採血後に血液をそのまま室温に放置すると、血液中の赤血球等の細胞中に含まれている解糖系酵素群により解糖反応が進行する。従って、上記フッ化物塩を解糖阻止剤として用いた場合、採血から２時間後に測定されるグルコース量は、採血直後のグルコース量の８７〜９３％程度であるとされている（非特許文献１）。すなわち、フッ化物塩を用いただけでは、採血直後のグルコース濃度の低下を充分に抑制することはできなかった。
【０００４】
下記の特許文献１には、Ｄ−マンノース及び／またはまたはその誘導体を担体に保持させた解糖阻止剤を、採血管に封入した採血管や、採血管内壁にＤ−マンノースを直接コーティングする方法が記載されている。しかしながら、これらの方法では血液試料中において溶血現象がみられた。
【０００５】
また、下記の特許文献２では、採血管底部にＤ−マンノース単独、またはＤ−マンノースとフッ化ナトリウムとの混合物からなる膜が形成されている採血管が開示されている。この採血管では、底部に解糖阻止剤の膜を形成させることにより、血液試料への解糖阻止剤の溶解を遅らせている。それによって、溶血現象が防止できるとされている。しかしながら、この方法でも、溶血を充分に抑制することはできなかった。
【先行技術文献】
【特許文献】
【０００６】
【特許文献１】特開平０１−１２７９５９号公報
【特許文献２】特開平０３−１１８４７４号公報
【非特許文献１】クリニカル・ケミストリー、第２８巻、１９８２年、第１９０〜１９２頁
【発明の概要】
【発明が解決しようとする課題】
【０００７】
本発明の目的は、採取された血液の溶血を防止し、しかも、血糖値の低下を効果的に抑制でき、血糖値を安定に測定することを可能とする採血管を提供することにある。
【課題を解決するための手段】
【０００８】
本願発明者らは、解糖阻止剤として、Ｄ−マンノースやフッ化物塩などを種々用い検討した結果、特定量のＤ−マンノース及び特定量のフッ化物塩を含み、血液抗凝固剤として、ＥＤＴＡ及び／またはヘパリンを含む水溶性の薬剤を採血管本体の内壁にスプレー塗布し、乾燥させることにより付着させ、さらに該薬剤を採取される血液と等量の水に溶解したときの浸透圧を特定の範囲とするように薬剤量を調整すれば、血糖値の低下及び溶血の双方を効果的に抑制できることを見出し、本発明を成すに至った。
【０００９】
すなわち、前述したように、Ｄ−マンノース及び／またはまたはその誘導体を解糖阻止剤として用いた先行技術では、溶血を無視することが出来なかったのに対し、本発明によれば、Ｄ−マンノースを用いているにもかかわらず、溶血を抑制しかつ血糖値の低下を効果的に抑制することができる。
【００１０】
本発明は、血液中の血糖値を測定するのに用いられ、所定量の血液が採取される採血管であって、一端が開口し他端が閉塞してなる有底筒状の採血管本体と、前記採血管本体の内壁に付着されている粒子状の薬剤とを備え、前記薬剤が解糖阻止剤及び血液抗凝固剤を含む水溶性の薬剤であって、前記解糖阻止剤が、採取される血液１ｍＬ当たり、１〜５ｍｇのＤ−マンノース及びＮａＦ量換算で０.３〜１.０ｍｇのフッ化物塩を含み、前記血液抗凝固剤が、ＥＤＴＡ及び／またはへパリンの少なくとも１種であり、前記薬剤が、前記採血管本体の内壁にスプレー塗布し乾燥させることにより粒子状で付着されており、前記採血管に採取される血液の所定量と等量の水で前記採血管本体の内壁に付着されている薬剤を溶解した際の水溶液の浸透圧が３０〜８０ｍＯｓｍの範囲である。
【００１１】
本発明に係る採血管では、前記粒子状の薬剤が、前記採血管本体の内壁に付着しているので、顆粒状や粉末状の薬剤の場合と異なり、採血管の底部に薬剤が偏在し難いので、薬剤を血液により一層速やかに溶解させることができる。
【００１２】
本発明に係る採血管のある特定の態様では、所定量の血液を採取した際の血液試料のｐＨが７．３〜８．８の範囲にある。この場合には、溶血をより確実に抑制することができる。
【００１３】
本発明に係る採血管の他の特定の態様では、前記粒子状の薬剤の最大粒径が５０μｍ〜１５００μｍの範囲にある。付着している薬剤の最大粒径がこの範囲内にあれば、薬剤をより一層速やかに溶解させることができる。従って、血液に薬剤を溶解するための転倒混和回数を少なくすることができる。また溶血もより一層効果的に抑制することができる。
【００１４】
本発明に係る採血管のさらに別の特定の態様では、前記薬剤が、前記所定量の血液を採取した場合の血液面よりも下方の位置において、前記採血管本体の内壁に付着している。この場合には、採血後に転倒混和を行わなくても、採血管の底部を下にして、正立させておけば、採血管内の殆どの薬剤に採血された血液が接触し、薬剤をすみやかに血液中へ、溶解させることができる。従って、転倒混和回数をより一層少なくすることができる。
【発明の効果】
【００１５】
本発明に係る採血管によれば、Ｄ−マンノースを含む解糖阻止剤を用いているにもかかわらず、採取された血液に薬剤を速やかに溶解させることができ、溶血の発生を効果的に抑制することができるとともに、転倒混和回数を少なくすることができる。加えて、経時による血糖値の低下も効果的に抑制することができる。
【００１６】
すなわち、本発明の採血管によれば、溶血の抑制と血糖値の低下の双方を効果的に抑制することが可能となる。従って、血糖値を正確に測定することができる。
【図面の簡単な説明】
【００１７】
【図１】本発明の一実施態様に係る採血管を示す模式的正面図である。
【図２】本発明の一実施態様の採血管を得るのに用いられるスプレー塗布装置を説明するための概略構成図である。
【図３】図２に示したスプレー塗布装置のスプレーノズル部分の要部を示す部分切欠き拡大正面断面図である。
【図４】図３のＺ−Ｚ線に沿う断面図である。
【図５】本発明の一実施態様における採血管の採血管本体の内壁に付着している薬剤を拡大して示す写真である。
【発明を実施するための形態】
【００１８】
以下、本発明の採血管及びその具体的な実施形態を説明することにより、本発明を明らかにする。
【００１９】
（薬剤）
本発明に係る採血管で使用する薬剤は、解糖阻止剤として、血液１ｍＬ当たりに対して、１〜５ｍｇのＤ−マンノース及びＮａＦ量換算で０．３〜１．０ｍｇのフッ化物塩を含み、血液抗凝固剤として、ＥＤＴＡ及び／またはヘパリンを含む水溶性の薬剤である。以後、本明細書にて記載のフッ化物塩の量は、特に断りの無い限りＮａＦ量換算である。
【００２０】
なお、採血管では、採取される血液量は採血管のサイズに応じて定まっている。例えば、５ｍＬ用採血管とは、５ｍＬの血液を採取する採血管である。すなわち、採血管には、あらかじめ定められている所定量の血液が採取される。従って、上記血液１ｍＬに対して、１〜５ｍｇのＤ−マンノース及び０.３〜１.０ｍｇのフッ化物塩とは、例えば、５ｍＬの血液を採取する採血管では、薬剤は、５〜２５ｍｇのＤ−マンノース及び１．５〜５．０ｍｇのフッ化物塩を含むことを意味する。
【００２１】
より一般的に表現すると、ｎｍＬ（ｎは整数）の血液を採取する採血管である場合には、薬剤は、１ｎ−５ｎ（ｍｇ）のＤ−マンノースと、０.３ｎ〜１.０ｎ（ｍｇ）のフッ化物塩とを含む。
【００２２】
（解糖阻止剤）
上記解糖阻止剤は、血液１ｍＬに対して、１〜５ｍｇのＤ−マンノース及び０．３〜１．０ｍｇのフッ化物塩からなる。
【００２３】
Ｄ−マンノース量が血液１ｍＬ当たり１ｍｇより少ないと、採血直後の血糖安定性が悪くなり、Ｄ−マンノース量が５ｍｇより多くなると溶血しやすくなる。
【００２４】
Ｄ−マンノース量は、更に好ましくは、血液１ｍＬ当たり１．５〜４ｍｇである。この場合には、血糖値の安定性をより一層高め、かつ溶血をより一層効果的に抑制することができる。
【００２５】
フッ化物塩の量が血液１ｍＬ当たり０．３ｍｇより少ないと血糖安定性が悪くなり、フッ化物塩の量が１ｍｇより多くなると、溶血しやすくなる。また、フッ化物塩の量は、更に好ましくは、血液１ｍＬ当たり、０．５〜０．８ｍｇである。この場合には、血糖値の安定性をより一層高め、かつ溶血をより一層効果的に抑制することができる。
【００２６】
本発明で使用できるフッ化物塩としては、例えばＮａＦやＫＦが挙げられる。
【００２７】
（血液抗凝固剤）
本発明で使用する血液抗凝固剤は、ＥＤＴＡ及び／またはヘパリンである。
【００２８】
ＥＤＴＡとしては、ＥＤＴＡ塩が好ましく用いられ、採取される血液１ｍＬ当たり、ＥＤＴＡ量換算として１ｍｇ〜２ｍｇに相当する量を用いるのが好ましい。それによって、血液の凝固をより一層効果的に抑制することができる。
【００２９】
ＥＤＴＡ塩としては、例えばＥＤＴＡ-２ＮａやＥＤＴＡ−２Ｋなどを用いることが可能である。ＥＤＴＡ−２Ｋの場合には、採取される血液１ｍＬ当たり１．２５ｍｇ〜２．５０ｍｇ用いることが望ましい。
【００３０】
また、ヘパリンは、採取される血液１ｍＬ当たり、１０〜２０Ｕ用いればよく、ヘパリンナトリウムやヘパリンリチウム等を用いることができる。また、血液抗凝固剤として、ＥＤＴＡ及びヘパリンを併用する場合、血液抗凝固能があり、かつ、採血直後に転倒混和し、１５００ｇ×１０分遠心した時に、それぞれの量を溶血が生じない量とすることが望ましい。
【００３１】
（薬剤のスプレー塗布及び乾燥）
本発明の採血管は、上記特定量の解糖阻止剤と血液抗凝固剤を含む薬剤を水に溶解させてなる水溶液を、一端が開口し、他端が閉塞してなる有底筒状の採血管本体の内壁面に、スプレー塗布し乾燥させて作製する。また、その採血管に採取される血液の所定量と等量の水で薬剤を溶解したときの浸透圧が３０〜８０ｍＯｓｍである。
【００３２】
本発明では、上記解糖阻止剤と血液抗凝固剤とを含む薬剤を水に溶解した水溶液を、採血管本体の有底筒状の内壁面に、スプレー塗布し乾燥させて作製するため、水に溶解しづらいＮａＦと水に溶解しやすいＤ−マンノースとが混ざった状態で、採血管の内壁に微小な液滴として付着し、乾燥される。従って、微小な液滴が乾燥し、粒子状の形態で薬剤が採血管本体の内壁に付着することとなる。
【００３３】
このため、本発明の採血管内壁の薬剤表面積は、採血管の内壁にコーティングした薬剤の表面積に比べて、大きくなる。そのため、本発明によれば、上記先行技術とは逆に、薬剤を血液中に早く溶解させることができる。それによって、溶血の回避と血糖値の低下防止の両立が可能とされていると考えられる。
【００３４】
なお、薬剤組成物を採血管本体の内壁にスプレー塗布する方法については、様々なスプレー塗布装置を用いることができる。このようなスプレー塗布装置としては、エアロゾルとして先端から薬剤組成物を噴霧するスプレーノズルを用いた装置、ピエゾ方式のジェットディスペンサーを用いたスプレー塗布装置などを挙げることができる。好ましくは、後述の図２〜図４を参照して説明するスプレー塗布装置が用いられる。
【００３５】
（薬剤水溶液の浸透圧）
本発明の採血管に、採取される血液の所定量と等量の水を添加して薬剤を溶解した時の薬剤水溶液の浸透圧は３０〜８０ｍＯｓｍである。
【００３６】
薬剤浸透圧が３０ｍＯｓｍより小さいと、血液抗凝固能及び血糖値の安定性が不充分になる。また、薬剤浸透圧が８０ｍＯｓｍより大きいと、溶血しやすくなる。
【００３７】
この浸透圧の制御は、上記解糖阻止剤及び血液抗凝固剤の量を調整することにより行い得る。なお、悪影響のない範囲で他の化合物を添加することを排除するものではない。
【００３８】
（採血した血液試料のｐＨ）
本発明に係る採血管では、上記所定量の血液を採取した場合の血液試料のｐＨは、７．３〜８．８の範囲にあることが好ましい。通常、採取された血液のｐＨは、該血液の炭酸ガス分圧が低下するため、体内の血液ｐＨより高くなることが知られているが、ｐＨが前記の範囲内であれば、溶血をより一層効果的に抑制することができる。
【００３９】
なお、ｐＨの制御は、薬剤の組成を調整することにより達成し得る。
【００４０】
（スプレー塗布し乾燥させた薬剤の粒径）
本発明に係る水溶性薬剤をスプレー塗布し乾燥させた場合の薬剤の最大粒径は、５０μｍ〜１５００μｍとなるようにするのが好ましい。更に、最大粒径が５０μｍ〜１０００μｍになるようにするのが好ましい。最大粒径が５０μｍより小さいと、薬剤を塗布するために必要な面積が大きくなり、採血量に比べて採血管サイズが大きくなり、血液に全ての薬剤を溶解するために転倒混和回数が増えることがある。
【００４１】
また、本発明の水溶性薬剤をスプレー塗布し乾燥させた薬剤の最大粒径が１５００μｍより大きいと、薬剤の溶解性が低下し、溶血し易くなることがある。
【００４２】
（採血管内壁への薬剤固着）
本発明では上記薬剤が、微粒子状として、採血管本体の内壁に固着されていることが好ましい。その場合には、薬剤が採血管の局所に偏在し難い。また、採取した血液中の薬剤濃度が、局所的に高くなり難い。固着されずに収容された場合、微粉末が採血管の底部などに局在することがあり、その状態で採血すると、微粉末の薬剤に接触した一部の血液中の薬剤濃度が局所的に高くなるため、溶血しやすくなるおそれがある。
【００４３】
（薬剤塗布位置）
本発明では、水溶性の薬剤が採血管本体の内壁に付着しているが、その薬剤の付着位置は、血液面よりも下方であることが望ましい。血液面とは、前述した所定量の血液を採血管に採取した場合の血液面を意味する。薬剤付着位置が、上記血液面より下方である場合には、採取された血液と薬剤とがより一層速やかに接触する。そのため、すべての薬剤が容易に溶解する。よって、転倒混和回数を少なくした場合であっても、血糖値の低下をより一層効果的に抑制することができる。
【００４４】
また、本発明の薬剤塗布位置において、採血後の転倒混和回数が少なくても、本発明の採血管内の薬剤が血液に速やかに溶解するために、更に、好ましい薬剤塗布範囲は、管底部から血液面よりも下方であることが好ましい。
【００４５】
（スプレー塗布装置の好ましい例）
上記スプレー塗布に用いられるスプレー塗布装置の具体的な例を図２〜図４を参照して説明する。
【００４６】
図２に示すようにスプレー塗布装置１は、薬液タンク２を有する。薬液タンク２内には、スプレー用薬剤溶液が収納されている。
【００４７】
薬液タンク２は、配管３を介してスプレーノズル４に接続されている。配管３の途中には、薬液を送液するために、ポンプ５が接続されている。
【００４８】
図３に正面断面図で示すように、スプレーノズル４は、内管６と、内管６が挿入されている外管７とを有する。内管６と、外管７とは、内管６の上端側で一体化されている。
【００４９】
スプレーノズル４の上端には、内管の開口部６ａが位置している。開口部６ａに配管３が接続され、スプレー用薬剤溶液が内管６内に供給される。内管６の先端には、薬液が吐出される吐出口６ｂが開口している。すなわち、内管６は、開口部６ａと吐出口６ｂとを結ぶ薬液流路を有する部材である。
【００５０】
外管７は、内管６の外壁と、外管７の内面との間の空間にエアロゾルを発生させるための圧縮ガスを供給するために設けられている。
【００５１】
本実施態様では、外管７は円筒状の形状を有している。そのため、内管６の外壁と外管７との内壁との間の空間８は、横断面が略円管状の形状を有している。空間８の上端は、外管７の側方に設けられた開口部９に連通されている。
【００５２】
なお、本実施態様では、内管６の先端が、外管７の先端よりも外部に突出している。
【００５３】
図２に示す配管１０が上記開口部９に接続されている。図２に示すように、配管１０は、圧縮ガスを供給するためのコンプレッサＣに接続されている。なお、配管１０の途中には、圧縮ガスの流路を調節するための弁Ｖが接続されている。
【００５４】
コンプレッサＣから配管１０を通して圧縮ガスが上記空間８に供給され、スプレーノズル４の先端において、内管６から吐出されたスプレー用薬剤溶液が圧縮ガスにより剪断され、薬液エアロゾルとされる。
【００５５】
図４に図３のＺ−Ｚ線断面図で示すように、上記内管６及び外管７において、内管６の外径をｄ１、外管７の内径をＤ１としたときに、空間８の厚み、すなわち外管７の内壁と、内管６の外壁との間の距離ｄ２が、Ｄ１とｄ１との差ΔＤの２５〜７５％の範囲とすることが望ましい。この範囲内であれば、均一な薬液エアロゾルをより確実に形成することができる。
【００５６】
（採血管）
本発明に係る採血管は、上記のようにして得られるが、図１に本発明の一実施態様の採血管を模式的正面図で示す。採血管１１は、有底筒状の採血管本体１２を有する。採血管本体１２の内壁に、クロスのハッチングで模式的に示すように薬剤１３が付着している。この薬剤１３は、図１ではクロスのハッチングで付着領域を模式的に示しているが、実際には、前述した通り粒子状の形態で採血管本体１２の内壁に付着している。
【００５７】
上記採血管本体の素材は、特に限定されず、公知の採血管に用いられているものを用いることができる。好ましくは、ポリエチレンテレフタレートが用いられる。
【００５８】
本発明に係る採血管では、好ましくは、採血管本体の開口を閉成するように閉塞部材が取り付けられる。このような閉塞部材としては、ゴム栓、オーバーキャップタイプのゴム栓、アルミ箔にゴムを積層したフィルム栓などの適宜の閉塞部材を用いることができる。
【００５９】
また、好ましくは、本発明では、上記閉塞部材が取り付けられる採血管本体内が減圧されていることが望ましい。採血管内を減圧しておくことにより、採血を速やかに行うことができる。なお、減圧の程度は、採血量に応じ、すなわち上述した所定の血液量に応じて適宜設定すればよい。
【００６０】
〔実施例及び比較例〕
次に、具体的な実施例及び比較例を挙げることにより本発明の効果を明らかにする。
【００６１】
なお、以下の実施例及び比較例では、図２〜図４に示したスプレー塗布装置１を用いた。ここで、空気を供給する管である外管の長さは８１．４ｍｍ、外径は３．５ｍｍ、内径は１．０ｍｍとした。また、薬剤溶液を吐出する内管の長さは１４５ｍｍ、外径は０．８８ｍｍ、内径は０．５５ｍｍとした。また、内管が外管に挿入されており、内管の先端が外管の先端よりも０．２ｍｍ突出しているスプレーノズルを用いた。
【００６２】
（実施例１：血液１ｍＬ当たりＤ−マンノース１．００ｍｇ、ＮａＦ０．３ｍｇ）
解糖阻止剤として、Ｄ−マンノースを０．８８９ｇ（和光純薬工業社製、和光特級）、ＮａＦを０．２６７ｇ（和光純薬工業社製、特級）、血液抗凝固剤としてＥＤＴＡ−２Ｋ  １．６７６ｇ（同仁化学研究所製、試験研究用）を用意し、水を添加して全量を２０ｇとした。これらの成分を充分に溶解して、スプレー用薬剤溶液を調製した。
【００６３】
次に、上記スプレー塗布装置を用いて、ポリエチレンテレフタレート製の採血管本体（長さ７５ｍｍ、外径１２．５ｍｍ、内径１０．５ｍｍ）の内壁に、上記スプレー用薬剤溶液を塗布するため、薬液タンクにスプレー用薬剤溶液を収容した。次に、０．２０ＭＰａのエア圧力をかけて、スプレー用薬剤溶液をエアロゾル化し、採血管本体内に４５ｍｇをスプレー塗布した。しかる後、空気を採血管本体内に供給して、スプレー用薬剤溶液を乾燥し、採血管を得た。
【００６４】
この採血管では、採取する血液量２ｍＬであり、上記採血管本体の内壁に付着された薬剤量は、採取される血液１ｍＬ当たりＤ−マンノースが１．００ｍｇであり、ＮａＦが０．３ｍｇの量となっている。
【００６５】
スプレー用薬剤溶液は、採血管内の底部から高さ７０ｍｍの間に、均一に塗布乾燥されていた。
【００６６】
（実施例２〜実施例８）
次の実施例２〜実施例８においては、Ｄ−マンノース及びＮａＦ量をそれぞれ下記の量となるようにＤ−マンノース及びＮａＦのスプレー用薬剤溶液中の量を変更した以外は、実施例１と同様にしてスプレー用薬剤溶液を調製し、各採血管を作製した。
【００６７】
実施例２：血液１ｍＬ当たりＤ−マンノース１．００ｍｇ、ＮａＦ１．０ｍｇ
実施例３：血液１ｍＬ当たりＤ−マンノース１．２５ｍｇ、ＮａＦ０．５ｍｇ
実施例４：血液１ｍＬ当たりＤ−マンノース２．０ｍｇ、ＮａＦ０．５ｍｇ
実施例５：血液１ｍＬ当たりＤ−マンノース４．０ｍｇ、ＮａＦ０．５ｍｇ
実施例６：血液１ｍＬ当たりＤ−マンノース５．０ｍｇ、ＮａＦ０．５ｍｇ
実施例７：血液１ｍＬ当たりＤ−マンノース１．２５ｍｇ、ＮａＦ０．８ｍｇ
実施例８：血液１ｍＬ当たりＤ−マンノース２．５０ｍｇ、ＮａＦ０．６ｍｇ
【００６８】
（実施例９：血液１ｍＬ当たりＤ−マンノース２．５０ｍｇ、ＮａＦ０．６ｍｇ）
解糖阻止剤として、Ｄ−マンノースを２．２２２ｇ、ＮａＦを０．５３３ｇ、血液抗凝固剤としてＥＤＴＡ−２Ｋを０．８４４ｇ及びヘパリン２,０００,０００Ｕ（和光純薬工業社製、生化学用）を水に溶解してヘパリン水溶液３０００Ｕ／ｇを調製し、そのヘパリン水溶液１．４８ｇに水を添加して全量を２０ｇとした。これらの成分を充分に溶解して、スプレー用薬剤溶液を調製した。
【００６９】
（比較例１〜６）
次の比較例１〜比較例６については、血液１ｍＬ当たりのＤ−マンノース及びＮａＦ量をそれぞれ下記の量となるようにＤ−マンノース及びＮａＦのスプレー用薬剤溶液中の量を変更した以外は、実施例１と同様にしてスプレー用薬剤溶液を調製して各比較例の採血管を作製した。
【００７０】
比較例１：血液１ｍＬ当たりＤ−マンノース０．７５ｍｇ、ＮａＦ０．５ｍｇ
比較例２：血液１ｍＬ当たりＤ−マンノース１．２５ｍｇ、ＮａＦ０．１ｍｇ
比較例３：血液１ｍＬ当たりＤ−マンノース１０．０ｍｇ、ＮａＦ１．０ｍｇ
比較例４：血液１ｍＬ当たりＤ−マンノース１．２５ｍｇ、ＮａＦ１．５ｍｇ
比較例５：血液１ｍＬ当たりＤ−マンノース０．７５ｍｇ、ＮａＦ０．１ｍｇ
比較例６：血液１ｍＬ当たりＤ−マンノース１０．０ｍｇ、ＮａＦ１．５ｍｇ
【００７１】
（比較例７）
比較例７では、血液１ｍＬ当たりＤ−マンノース２．５０ｍｇ、ＮａＦ０．６ｍｇとした実施例８と同一組成のスプレー用薬剤溶液４５ｍｇを管に分注し、当量のエタノールを加えて混和後、管内壁が均一に濡れるように管を回転させつつ、管内にエアーを吹き込み、薬剤溶液を徐々に乾燥させて採血管本体内壁に薬剤溶液をコーティングして採血管を作製した以外は、実施例８と同様とした。
【００７２】
（比較例８：血液１ｍＬ当たりＤ−マンノース２．５０ｍｇ、ＮａＦ０．６ｍｇ）
実施例８と同一組成のスプレー用薬剤溶液４５ｍｇを採血管内の底部に入れ乾燥させ、薬剤組成物の膜を形成させて採血管を作製した。
【００７３】
（比較例９：血液１ｍＬ当たりＤ−マンノース２．５０ｍｇ、ＮａＦ０．６ｍｇ）
実施例８と同一組成のスプレー用薬剤溶液４５ｍｇを採血管内の底部に入れ乾燥させ、薬剤組成物の膜形成させた後、膜を薬さじで粉砕して微粉末とした。
【００７４】
（比較例１０：血液１ｍＬ当たりＤ−マンノース２．５０ｍｇ、ＮａＦ０．６ｍｇ、クエン酸０．６５ｍｇを含む薬剤で血液試料ｐＨ７．１）
以下のスプレー用薬剤溶液の調製以外は、実施例１と同じ。
【００７５】
解糖阻止剤として、Ｄ−マンノース２．２２２ｇ、ＮａＦ０．５３３ｇ、血液抗凝固剤としてＥＤＴＡ−２Ｋ１．６７６ｇ、クエン酸０．５７８ｇに水を添加して２０ｇとし、薬剤を充分に溶解して、スプレー用薬剤溶液を調製した。
【００７６】
（比較例１１：血液１ｍＬ当たりＤ−マンノース２．５０ｍｇ、ＮａＦ０．６ｍｇを含む薬剤で血液試料ｐＨ９．０）
以下のスプレー用薬剤溶液の調製以外は、実施例１と同じ。
【００７７】
解糖阻止剤として、Ｄ−マンノース２．２２２ｇ、ＮａＦ０．５３３ｇ、血液抗凝固剤としてＥＤＴＡ−２Ｋ１．６７６ｇ、りん酸三ナトリウム１２水和物１．９０ｇ（和光純薬社製）に水を添加して２０ｇとし、薬剤を充分に溶解して、スプレー用薬剤溶液を調製した。
【００７８】
（比較例１２）
テルモ社製、血糖値測定用採血管である血糖管（品番：ベノジェクトＩＩ、コード番号：ＶＰ−ＦＣ０５２Ｋ）を用意した。
【００７９】
（各実施例及び比較例で作製した採血管の評価）
１）薬剤粒径の評価
実施例１〜９及び比較例１〜６，９〜１２の採血管内の薬剤の最大粒径を顕微鏡（Ｎｉｋｏｎ社製、ＭＥＡＳＵＲＥＩＮＧ  ＭＩＣＲＯＳＣＯＰＥ  ＭＭ−６０）を用いて測定した。
【００８０】
２）採血管薬剤の浸透圧評価
実施例１〜９及び比較例１〜１２の採血管に、注射用水（大塚製薬社製）２ｍＬを入れ、転倒混和して、各採血管内の全ての薬剤を溶解した後、浸透圧計（アークレイ社製、ＯＳＭＯＳＴＡＴ  ＯＭ−６０４０）で薬剤溶液の浸透圧を測定した。
【００８１】
３）ヒト血液を用いた採血管の評価（血糖値の安定性と溶血評価）
（１）血糖値評価
実施例１〜９及び比較例１〜１２で得た採血管各３本ずつに、健常人の血液２ｍＬを添加し、転倒混和を１０回行い、血液と薬剤とを混和した。その後、全ての採血管を、直ちに１５００ｇ×１０分（室温）で遠心分離した。その内、実施例１〜９及び比較例１〜１２の各採血管１本の血漿中の血糖値（採血直後の血糖値）を測定した。
【００８２】
残りの各採血管２本のうち１本は、室温で２時間保存した後、他の１本は室温で１日保存した後、該血漿中の血糖値をそれぞれ測定した。
【００８３】
血糖値の測定方法は以下の通りである。
【００８４】
測定装置として、７１７０Ｓ形日立自動分析装置（日立製作所製）を用い、血糖値測定試薬として、ＬタイプワコーＧＬＵ２（和光純薬工業社製）を用いた。採血直後、室温保存２時間後、及び室温保存１日後の各採血管より得た血漿の血糖値を測定した。採血直後の血液試料の血糖値を１００％とし、保存後の血糖値を相対値で示した。結果を表１に示す。
【００８５】
（２）溶血評価
実施例１〜９及び比較例１〜１２の採血管内に採取された血液試料について、室温保存１日後の血糖値を測定した後に、各血液試料の血漿の４１５ｎｍにおける吸光度を測定し、溶血の有無を評価した。結果を下記の表１に示す。
【００８６】
比較例１２であるテルモ社製の血糖管（ベノジェクトＩＩ、コード番号：ＶＰ−ＦＣ０５２Ｋ）の４１５ｎｍにおける吸光度を１００％とし、実施例１〜９及び比較例１〜１１の溶血評価を相対値で表１に示す。
【００８７】
（３）血液試料ｐＨの測定
実施例１〜９及び比較例１〜１２の採血管を採血直後に１５００ｇ×１０分で遠心分離し、採血直後の血糖値を測定した後、小型ｐＨ計（堀場製作所製、ｔｗｉｎ  ｐＨメーター  Ｂ−２１２）を用いて、各採血管の血液試料ｐＨ（血漿ｐＨ）を測定し、結果を表１に示す。
【００８８】
【表１】
0005822385.tif 000002
【００８９】
（溶血と血糖値の安定性）
実施例１〜９では、採血してから遠心分離した状態で室温保存１日したとしても溶血もなく、血糖値の安定性も９７．０〜９９．５％と非常に良好であった。
【００９０】
一方、解糖阻止剤の量が少ない比較例１、２及び５では、採血してから室温保存１日での溶血はなかったが、血糖値の安定性が、それぞれ９４．０、９４．０及び９１．０％と実施例に比べて悪かった。
【００９１】
その他の比較例３、４、６〜１１では、採血後、室温保存１日での血糖値の安定性は、９６．０〜９９．５％と良好であったが、いずれの比較例でも溶血が認められた。
【００９２】
また、比較例１２では、採血後、室温１日での血糖値の安定性は、９９．５％と良好であったが、溶血が認められた。
【００９３】
（薬剤の最大粒径及び溶血）
実施例１〜９では、薬剤の最大粒径は、３３０〜８９０μｍであった。
【００９４】
一方、Ｄ−マンノース量が多い比較例３及び６では、薬剤の最大粒径がそれぞれ１６００、１８００μｍと実施例１〜９に比べて大きくなった。この主な原因は、薬剤の固形分量が多いためである。そのため、薬剤が血液中へ溶解しづらくなるため、実施例１〜９に比べて溶血がわずかに認められた。
【００９５】
また、ＮａＦ量が多い比較例４では、やはり溶血が認められた。なお、比較例１２では、採血した直後、直ちに、製品箱に記載のある通りに転倒混和を１０回行ったが、溶血がひどく認められた。この溶血は、酸性薬剤により、赤血球膜にダメージを与えたのが原因と考えられる。
【００９６】
（薬剤の収容方法と溶血）
実施例１〜９では採血管本体内の底部から高さ７０ｍｍの範囲に薬剤がスプレー塗布し乾燥されているため、溶血は認められなかった。
【００９７】
一方、比較例７（採血管本体内壁全体に薬剤をコーティング乾燥した）及び比較例８（採血管底部に薬剤を膜状に乾燥）では、実施例に比べて薬剤の表面積が小さいため、薬剤が血液中に溶解しにくい。このため、薬剤と接触している血液中の薬剤濃度が局所的に高くなり、溶血したと考えられる。
【００９８】
また、比較例９（微粉末）では、採血管底部の局所に微粉末があるため、薬剤と接触している血液中の薬剤濃度が局所的に高くなるため、溶血したと考えられる。
【００９９】
（血液試料のｐＨと溶血）
実施例１〜９の血液試料のｐＨは、７．８〜８．０で溶血は認められなかった。
【０１００】
一方、比較例１０及び１１の血液試料のｐＨは、それぞれ７．１、９．０で溶血が認められた。溶血の原因は、比較例１０では、クエン酸添加により血液試料のｐＨをわずかに酸性側にしたこと、比較例１１では、りん酸三ナトリウム添加で血液試料のｐＨをわずかにアルカリ側にシフトしたことにより、赤血球膜にダメージを与え、溶血したと考えられる。
【０１０１】
（実施例１０〜１２及び比較例１３〜１７）
（実施例１０）
実施例１０としては、前述した実施例８の採血管を用意した。
【０１０２】
（実施例１１）
実施例８で得たスプレー用薬剤溶液４５ｍｇを、実施例１で用いた採血管本体内の底部から高さ２８ｍｍの間に均一に塗布し、乾燥したことを除いては、実施例８と同様とした。従って、所定の血液量を採取した場合の血液面の高さが２９ｍｍであるのに対し、薬剤塗布位置の上端は血液面よりも下方に位置している。
【０１０３】
（実施例１２）
実施例９で用いたスプレー用薬剤溶液４５ｍｇを用いたことを除いては、実施例１１と同様とした。
【０１０４】
（比較例１３，１５及び１６）
比較例７、８及び９と同じ採血管を、それぞれ比較例１３，１５及び１６とした。
【０１０５】
（比較例１４）
実施例８で用いたのと同じスプレー用薬剤溶液４５ｍｇを、採血管本体内の底部から高さ２８ｍｍの位置に、比較例７と同様にコーティングし、採血管を得た。
【０１０６】
（比較例１７）
前述した比較例１２、すなわちテルモ社製の血糖管（品番：ベノジェクトＩＩ、コード番号：ＶＰ−ＦＣ０５２Ｋ）を用意した。
【０１０７】
【表２】
0005822385.tif 000003
【０１０８】
（評価方法）
実施例１０〜１２及び比較例１３〜１７の採血管に血液２ｍＬ採血して、転倒混和の回数が溶血及び血糖安定性に与える影響を評価した。
【０１０９】
（溶血と血糖値の安定性）
実施例１０では、転倒混和の回数によらず、採血してから遠心分離した状態で室温保存１日での溶血はなかった。また、室温保存１日での血糖値の安定性に関し、転倒混和無しでも、採血直後の血糖値に対する相対％は９３．０％であった。転倒混和回数が、０回、２回及び５回と増えると、該相対％は、それぞれ、９３．０、９９．０及び９９．５％と向上し良好な結果であった。
【０１１０】
実施例１１及び１２では、薬剤が血液面より下に付着位置しているため、実施例１０よりも、血糖値の安定性は、転倒混和の回数の影響を受けずに、室温保存１日の血糖安定性は、９９．０〜９９．５％と良好であった。
【０１１１】
一方、比較例１３〜１５では、薬剤の溶解性が悪いため、転倒混和無しでの室温保存１日の血糖安定性は、８１〜８８％と実施例１０〜１２に比べて悪かった。
【０１１２】
比較例１６では、転倒混和無しでの室温保存１日の血糖安定性は、９１％であった。
【０１１３】
もっとも、比較例１３〜１６のいずれにおいても、溶血が認められた。
【０１１４】
また、比較例１７すなわちテルモ社製の血糖管（ベノジェクトＩＩ、コード番号：ＶＰ−ＦＣ０５２Ｋ）では、採血直後の転倒混和回数を０、２、５回と変えた時の室温１日での血糖値の安定性が、それぞれ６８．０％、９７．０％及び９８．０％と大きくばらついた。この原因は、テルモ社製の血糖管の製品箱の「使用方法に関連する使用上の注意」の項に「解糖阻止剤入り品種FC管では、１０回以上の転倒混和を行うこと。［試薬特性上十分に混和しないと溶血が発生する可能性がある］」との注意書きが記されていることから推察すると、顆粒状薬剤（最大粒径７００μｍ）の溶解性が非常に悪いため、転倒混和回数により、血液中へ溶解した薬剤濃度が大きくばらついたためと思われる。
【０１１５】
（薬剤の最大粒径）
実施例１０〜１２では、薬剤の最大粒径は、５１０〜６３０μｍであった。
【０１１６】
一方、比較例１６では、最大粒径が４９０μｍであった。
【０１１７】
（薬剤の収容方法と溶血）
実施例１０及び実施例１１，１２ではそれぞれ、採血管内の底部から高さ７０ｍｍ及び２８ｍｍの範囲に薬剤がスプレー塗布し乾燥されているため、薬剤の溶解性が良く、溶血は認められなかった。
【０１１８】
一方、比較例１３及び１４（採血管内壁全体に薬剤をコーティング乾燥した）及び比較例１５（採血管底部に薬剤を膜状に乾燥）では、実施例１０〜１２に比べて薬剤の表面積が小さいため、薬剤が血液中に溶解しにくい。そのため、薬剤と接触している血液中の薬剤濃度が局所的に高くなり、溶血したと考えられる。
【０１１９】
また、比較例１６（微粉末）では、採血管本体底部の局所に微粉末があるため、薬剤と接触している血液中の薬剤濃度が局所的に高くなるため、溶血したと考えられる。
【０１２０】
（血液試料ｐＨ）
実施例１０〜１２および比較例１３〜１６の血液試料ｐＨは、いずれも７．９であった。
【符号の説明】
【０１２１】
１…スプレー塗布装置
２…薬液タンク
３…配管
４…スプレーノズル
５…ポンプ
６…内管
６ａ…開口部
６ｂ…吐出口
７…外管
８…空間
９…開口部
１０…配管
１１…採血管
１２…採血管本体
１３…薬剤
Ｃ…コンプレッサ
ｄ１…外径
ｄ２…距離
Ｄ１…内径
【図１】
0005822385.tif 000004
【図２】
0005822385.tif 000005
【図３】
0005822385.tif 000006
【図４】
0005822385.tif 000007
【図５】
0005822385.tif 000008